(57)【要約】【課題】  ポスター、チラシ、ＤＭ、各種カード類等の印刷物表面に光沢と強度を与えると共に容易に引裂き破断することができる廃棄性を付与することを目的としている。【解決手段】  少なくとも一方の面をフィルムシートによりラミネートした印刷物の周囲の化粧断裁を、印刷物とフィルムシートを合わせてマイクロミシンの破断により断裁することにより、前記マイクロミシンの破断により断裁された端面が多数の切れ目を含む凹凸状態となり引裂き破断を容易にする。【選択図】図１
2010286806.tif 000002
【特許請求の範囲】
【請求項１】
少なくとも一方の面をフィルムシートによりラミネートされた印刷物の周囲の化粧断裁が、印刷物とフィルムシートを合わせてマイクロミシンの破断により断裁されたもので、前記マイクロミシンの破断により断裁された端面が多数の切れ目を含む凹凸状態を呈することを特徴とした引裂き破断が可能なラミネート印刷物。
【請求項２】
印刷物の両面にその周囲からはみ出す状態でフィルムシートがラミネートされると共に、前記はみ出したフィルムシートの周囲がマイクロミシンの破断により断裁されたもので、前記マイクロミシンの破断により断裁された端面が多数の切れ目を含む凹凸状態を呈することを特徴とした引裂き破断が可能なラミネート印刷物。
【発明の詳細な説明】
【技術分野】
【０００１】  本発明は、例えばポスター、チラシ、ＤＭ、各種カード類等の印刷物にフィルムシートによるラミネート加工を施した印刷物に関する。
詳しくはラミネート加工を施され、光沢及び耐久性のある印刷物でありながら、廃棄の際に容易に引裂き破断することが可能な印刷物に関する。
【背景技術】
【０００２】  従来、印刷物にフィルムシートをラミネートする目的は、印刷物表面に光沢を与えることや破れなどに対する耐久性を付与することにあった。然るに最近はプライバシーに関する問題がクローズアップされ、廃棄に際してシュレッダーを使用したり手で破断した後に廃棄する習慣が広まりつつある。このような状況を背景に、光沢や耐久性があると共に廃棄時に容易に引裂き破断することができるラミネートの必要性が高まりつつある。
【発明の概要】
【発明が解決しようとする課題】
【０００３】  そのために考えられる手段として、市販の引裂き破断可能なフィルムシートを使用すればよいが、そのような高価な特殊フィルムシートを使用するとコストアップにつながる。
また前記特殊フィルムシートは容易に引裂き破断可能なため、加工中にテンションが発生する部分で破断したりするため非常に歩留まりが悪い。
本発明は、前記問題に鑑み、通常の安価なフィルムシートであっても引裂き破断が可能であると共に、加工中に破断等の事故を起こして作業を中断するようなことがない引裂き破断が可能なラミネート印刷物を提供するものである。
【課題を解決するための手段】
【０００４】  上記問題を解決するために、本発明の引裂き破断が可能なラミネート印刷物は、少なくとも一方の面をフィルムシートによりラミネートされた印刷物の周囲の化粧断裁が、印刷物とフィルムシートを合わせてマイクロミシンの破断により断裁されたもので、前記マイクロミシンの破断により断裁された端面が多数の切れ目を含む凹凸状態を呈することを特徴としている。【０００５】  また、上記問題を解決するために、本発明の異なる形態の引裂き破断が可能なラミネート印刷物は、印刷物の両面にその周囲からはみ出す状態でフィルムシートがラミネートされると共に、前記はみ出したフィルムシートの周囲がマイクロミシンの破断により断裁されたもので、前記マイクロミシンの破断により断裁されたフィルムシートの端面が多数の切れ目を含む凹凸状態を呈することを特徴としている。【０００６】  なお、前記印刷物の周囲からフィルムシートがはみ出した状態でラミネートされているものは、ラミネートした後にマイクロミシンで化粧断裁を施しても、或いは予めマイクロミシンで断裁されている２枚のフィルムシート間に前記印刷物をサンドイッチしてラミネートしたものでも構わない。【０００７】  印刷物をラミネートする手段としてはサーマルラミネート法やドライラミネート法等の公知のラミネート手段があるが何れの方法でも構わない。またフィルムシートの間に診察券や会員カード等の印刷物をサンドイッチした後に、手差しで小型のヒートローラーに通してラミネートしても構わない。
さらにラミネートするフィルムシートの素材についても、高価で特殊なフィルムシートを使用する必要はなく、公知の安価なポリプロピレンやポリエチレンテレフタレート等のフィルムシートで構わない。【０００８】  ラミネートを完了した印刷物の化粧断裁はマイクロミシンの破断により断裁される。断裁の具体的な手段としては、例えばトムソンの刃にマイクロミシン刃を使用したり、マイクロミシンの丸刃を使用してスリットすることにより断裁すればよい。また公知のその他の断裁手法を使用しても構わない。【０００９】  前記マイクロミシンにおけるカットとアンカットの比率に制限はなく、要は、断裁された辺における多数の切れ目を含む凹凸状態を呈する端面から、印刷用紙とフィルムシートをあわせて破断することを可能にする程度のミシンであればよい。そのようなミシンとしては、本発明者等の実験によれば、カット長さ０．２ｍｍ〜０．８５ｍｍ、アンカット長さ０．１ｍｍ〜０．２５ｍｍの比率を有するマイクロミシンを好適に選択することができ、そのような組み合わせの比率の中でも、例えばカット長さ０．５ｍｍ：アンカット長さ０．１５ｍｍ、カット長さ０．２５ｍｍ：アンカット長さ０．１５ｍｍ、或いはカット長さ０．３５ｍｍ：アンカット長さ０．１ｍｍ等の比率を好適に採用してもよい。【００１０】  なお、本発明における断裁として、前記マイクロミシンのみならず、例えばカット長さ３ｍｍ：アンカット長さ１ｍｍやカット長さ２ｍｍ：アンカット長さ０．５ｍｍ等の比率を有する通常の切り取りミシンや折り用ミシン等を用いることも可能である。【００１１】  なお、前記マイクロミシンの形状にも制限はなく、カット部分が例えば通常通りの直線状や曲線状のスリットで形成されていてもよく、またカット部分として円形やその他の形状の微細な穴が連続的に形成されてミシンとされていても差し支えない。【００１２】  即ち、マイクロミシンにおけるカットとアンカットの比率、形状や形成手段等は、情報通信体に使用される用紙の斤量や種類、及びフィルムシートの厚みや硬度等に応じて任意に選択すればよいのである。
【発明の効果】
【００１３】  上述したように、本発明に係る引裂き破断可能なラミネート印刷物によれば、高価な特殊フィルムシートを使用する必要はなく、公知の安価なフィルムシートを使用して従来のラミネートと同様に光沢や耐久性が付与されると共に、廃棄時には容易に引裂き破断が可能になる。従って、ポスター等の大型印刷物においては手で容易に引裂き破断して細かくすることにより廃棄がしやすくなる。また診察券や各種カード物をはじめ個人情報を含む印刷物においても、容易に引裂き破断して個人情報を抹消して廃棄することができるので、極めて至便である。
【図面の簡単な説明】
【００１４】
【図１】（Ａ）及び（Ｂ）はポスター等の印刷用紙にラミネート用のフィルムシートをラミネートした場合の平面図とＸ−Ｘ線断面図である。
【図２】（Ａ）及び（Ｂ）は診察券等の個人情報を含む印刷用紙からはみ出す形でフィルムシートをラミネートした場合の平面図とＹ−Ｙ線断面図である。
【発明を実施するための形態】
【００１５】  図１（Ａ）及び（Ｂ）に示すように、本発明により作製された引裂き破断可能なラミネート印刷物Ｓ（例えばポスター）は、印刷用紙Ｐ（ポスター）の表面にフィルムシートＦがラミネートされると共に印刷用紙Ｐ周囲の４辺１、２、３、４がマイクロミシンの破断により断裁されて作製されている。そのため断裁された端面が多数の切れ目を含む凹凸状態を呈している。従って、通常のラミネート印刷物と同様に光沢と耐久性を持ち合わせながらも、仮に任意の辺の任意の箇所を引裂こうとすると、端面の多数の切れ目を含む凹凸状態の部分から亀裂が入り容易に引裂き破断することができる。
【００１６】  図２（Ａ）及び（Ｂ）に示すように、本発明により作製された引裂き破断可能なラミネート印刷物Ｓ（例えば診察券）は、診察券本体である印刷用紙Ｐの両面にその周囲からはみ出す形でフィルムシートＦがラミネートされており、はみ出したフィルムシートＦからなる周囲の４辺１１、１２、１３、１４がマイクロミシンの破断により断裁されて作製されている。そのため断裁された端面が多数の切れ目を含む凹凸状態を呈している。従って、通常のラミネート印刷物と同様に光沢と耐久性を持ち合わせながらも、仮に任意の辺の任意の箇所を引裂こうとすると、端面の多数の切れ目を含む凹凸状態の部分から亀裂が入り容易に引裂き破断することができる。
【００１７】  なお、前記診察券等の変形例として、先に診察券本体である印刷用紙Ｐよりも一回り大き目にマイクロミシンの破断により断裁したフィルムシートＦを２枚重ね合わせ、その間に診察券本体を挟みこみ、ヒートローラー等を通過させることにより作製しても構わない。そのようにして作製された診察券は、フィルムシートＦの端面が多数の切れ目を含む凹凸状態を呈しているので、仮に任意の辺の任意の箇所を引裂こうとすると、端面の多数の切れ目を含む凹凸状態の部分から亀裂が入り容易に引裂き破断することができる。
【００１８】  また、作製作業をより手際よく進めるために、先にマイクロミシンの破断により断裁したフィルムシートＦを２枚重ね合わせておいて、周囲の何れか一辺を予めお互いに接着して製本状態にしておけば、フィルムシートＦ同士をめくりあげて診察券本体を挟み込むだけでヒートローラーに通すことができる。そのようにすれば重ね合わせたフィルムにずれが生じないため極めて効率がよい。
【００１９】  さらに前記実施例において、２枚のフィルムシートＦを使用する代わりに、２倍サイズフィルムシートＦを折畳んで、対向するフィルムシート間に印刷物を挟み込んで作製することも可能である。
【符号の説明】
【００２０】    Ｓ  引裂き破断が可能なラミネート印刷物Ｓ
Ｆ  フィルムシート
Ｐ  印刷用紙
１、２、３、４、１１、１２、１３、１４  辺
【図１】
2010286806.tif 000003
【図２】
2010286806.tif 000004